(57)【要約】【課題】設定された着信の抑制を自動的に解除する携帯電話端末を提供する。【解決手段】携帯電話端末は、待受中に、基地局からの電波の受信レベルを比較して最寄りの基地局を設定する（ステップＳ１３）。ユーザが、着信を抑制する一時着信拒否モードに設定すると、携帯電話端末は、そのときの最寄り基地局を記憶する（ステップＳ２２）。着信が発生した際には、着信時の最寄り基地局と、一時着信拒否モード設定時の基地局とを比較し（ステップＳ３２）、両者が異なれば、一時着信拒否モードを解除する（ステップＳ３４）。【選択図】　　図２
2004015420.tif 000002
【特許請求の範囲】
【請求項１】
基地局からの受信電波のレベルを測定する受信レベル測定手段と、複数の基地局からの受信電波のレベルを比較して１つの基地局を選定する基地局選定手段と、着信の抑制を設定する着信抑制設定手段とを備える携帯電話端末において、
携帯電話端末の移動を検出する移動検出手段を備え、該移動検出手段が、前記着信抑制手段によって着信の抑制が設定された際における携帯電話端末の位置からの移動を検出すると、前記着信の抑制を解除することを特徴とする携帯電話端末。
【請求項２】
前記移動検出手段は、着信の抑制が設定された際に選定されている基地局と、現在選定されている基地局とを比較する、請求項１に記載の携帯電話端末。
【請求項３】
前記移動検出手段は、前記着信抑制手段によって着信の抑制が設定された際に、前記選定された基地局からの受信電波レベルを記憶する受信レベル記憶手段を備え、前記受信レベル記憶手段に記憶された受信電波レベルと、前記受信レベル測定手段で測定された、前記着信の抑制が設定された際に選定された基地局からの現在の受信電波レベルとを比較する、請求項１又は２に記載の携帯電話端末。
【請求項４】
前記移動検出手段は、新たに着信があると前記移動の検出を行う、請求項１〜３の何れかに記載の携帯電話端末。
【請求項５】
前記移動検出手段は、待受け時に前記移動の検出を行う、請求項１〜３の何れかに記載の携帯電話端末。
【発明の詳細な説明】
【０００１】
【発明の属する技術分野】
本発明は携帯電話端末に関し、更に詳しくは、サービスエリアが複数の基地局によって分割されている無線システムにおける携帯電話端末に関する。
【０００２】
【従来の技術】
携帯電話等の無線通信システムでは、移動局である携帯電話端末は、サービスエリア内に複数が配置された基地局のうち、電波の受信状態が最も良い最寄り基地局を介して公衆回線網などに接続し、音声通話等の通信を行なっている。通話中などに、ユーザの移動に伴って携帯電話端末の位置が変化した場合には、携帯電話端末は、使用する基地局を、その変化した位置での最寄り基地局に切り替えて通信を行なう。
【０００３】
ところで、例えば、病院や映画館などでは、マナー上の観点などから、着信音を鳴らす、或いは、通話をするといった行為が禁止されていることがある。通常、このような場所に携帯電話端末を持ち込んだ場合には、ユーザは、電源を切る、着信音量を０にする、留守番電話サービス等への転送を設定する、或いは、マナーモード等の着信音がならないモードに設定することなどで着信（着信音）を抑制し、極力通話を行わないようにしている。
【０００４】
【発明が解決しようとする課題】
しかし、ユーザは、時間の経過と共に、自身が携帯電話端末の着信を抑制する操作を行ったことを忘れ、着信の抑制解除を忘れることが多い。抑制解除を忘れたままの状態では、ユーザは往々にして着信に気が付くことができず、電話をかけた相手は、ユーザと連絡が取れなくなるという不都合があった。このため、着信の抑制は、自動的に解除されることが好ましい。
【０００５】
携帯電話端末の着信の抑制する操作を自動的に解除する方法としては、例えば電源を切って着信を抑制した場合には、ユーザが指定した時間に携帯電話端末を再起動させるウェークアップ機能を使用することができる。この場合、ユーザは、電源を切る前に、携帯電話端末の電源を入れる時間を予約することで、電源の入れ直しを自動的に行うことができる。しかし、着信の抑制操作をするたびに、電源を入れる時間を設定することは煩雑である。また、ユーザは、予約した時間に、実際に移動しているか否かは不明であり、予定が変わった場合になどには、着信の抑制を継続したいにもかかわらず、抑制が解除されることがあるという問題があった。
【０００６】
本発明は、上記問題を解消し、ユーザが着信を抑制する操作を行った後に、適切な条件で自動的に着信の抑制を解除する携帯電話端末を提供することを目的とする。
【０００７】
【課題を解決するための手段】
上記目的を達成するために、本発明の携帯電話端末は、基地局からの受信電波のレベルを測定する受信レベル測定手段と、複数の基地局からの受信電波のレベルを比較して１つの基地局を選定する基地局選定手段と、着信の抑制を設定する着信抑制設定手段とを備える携帯電話端末において、携帯電話端末の移動を検出する移動検出手段を備え、該移動検出手段が、前記着信抑制手段によって着信の抑制が設定された際における携帯電話端末の位置からの移動を検出すると、前記着信の抑制を解除することを特徴とする。
【０００８】
本発明の携帯電話端末では、移動検出手段が、着信の抑制を設定した際の位置からユーザが移動したか否かを検出し、移動を検出した場合には、携帯電話端末に設定された着信の抑制を解除する。このため、携帯電話端末を使用するユーザは、着信を一時的に抑制したいときに着信の抑制を設定し、その場所にいる間は着信の抑制を継続できる。ユーザは、単に移動することで携帯電話端末の着信の抑制を解除できるため、着信の抑制を解除する手間が省け、解除忘れによる連絡の不通を防止することができる。着信の抑制には、携帯電話端末の着信音を鳴らさないようにすることや、携帯電話端末が着信すべき電話を留守番電話サービスセンタなどに転送することなどが含まれる。
【０００９】
本発明の携帯電話端末では、前記移動検出手段は、着信の抑制が設定された際に選定されている基地局と、現在選定されている基地局とを比較することが好ましい。この場合、携帯電話端末が電波を受信する基地局のうち、現在の最も受信状態が良い基地局と、着信の抑制を行った際の最も受信状態が良い基地局とを比較することで、携帯電話端末の移動を検出することができる。
【００１０】
また、本発明の携帯電話端末では、前記移動検出手段は、前記着信抑制手段によって着信の抑制が設定された際に、前記選定された基地局からの受信電波レベルを記憶する受信レベル記憶手段を備え、前記受信レベル記憶手段に記憶された受信電波レベルと、前記受信レベル測定手段で測定された、前記着信の抑制が設定された際に選定された基地局からの現在の受信電波レベルとを比較することが好ましい。
例えば携帯電話などでは、１つの基地局がカバーするセルの範囲は、半径３〜５ｋｍくらいであり、同じセル内で移動した場合には、基地局の比較のみでは移動を検出できないことがある。このため、着信の抑制を設定した際に最も受信状態が良かった基地局からの電波の受信レベルを記憶し、これと、現在における着信の抑制を設定した際に最も受信状態が良かった基地局からの電波の受信レベルとを比較し、ユーザの移動を検出することもできる。
【００１１】
本発明の携帯電話端末では、前記移動検出手段は、新たに着信があると前記移動の検出を行なってもよく、或いは、待受け時に前記移動の検出を行なってもよい。待受時に移動の検出を行う場合には、所定時間間隔で移動の検出を行なうことができる。
【００１２】
【発明の実施の形態】
以下、図面を参照し、本発明の実施形態例に基づいて、本発明を更に詳細に説明する。図１は、本発明の一実施形態例の無線通信装置の構成を示すブロック図である。無線通信装置を構成する携帯電話端末１０は、無線部１１、音声部１２、プログラム部１３、キーボード部１４、表示部５、アンテナ６、マイク７、及び、スピーカ９を備える。
【００１３】
プログラム部３は、無線部１、音声部２、キーボード部４、及び、表示部５の各部を制御するプログラムを備え、携帯電話端末１０の全体を制御する。無線部１は、アンテナ６を介して基地局との間で音声データなどの送受信を行う。また、無線部１は、基地局からの電波の受信レベルを測定する。音声部２は、マイク７を介してユーザの音声を入力し、また、スピーカ８を介して通話相手の音声などを出力する。表示部５は、プログラム部３によって指定された情報を表示する。キーボード入力部４は、機能ボタンや番号ボタンなどを有し、電話番号や各種の設定等を入力するために使用される。
【００１４】
図２は、プログラム部３に含まれるプログラムの動作フローを示している。プログラム部３には、待受Ａ、待受Ｂ、発信、着信、及び、通話の各プログラムが含まれている。待受プログラムＡ及び待受プログラムＢは、並列に動作し、携帯電話端末１０が着信、発信、及び、通話を行っていない待受時の動作を定義する。また、発信プログラムは発信時の携帯電話端末１０の動作を、着信プログラムは着信時の携帯電話端末１０の動作を、通話プログラムは発信又は着信に後続する通話時の携帯電話端末１０の動作を、それぞれ定義する。
【００１５】
ユーザが携帯電話端末１０の電源をＯＮにすると、携帯電話端末１０は待受状態となり、待受プログラムＡ及び待受プログラムＢが、それぞれの所定時間周期で繰り返し実行される。待受プログラムＡでは、無線部１が基地局からの電波を受信し、その受信レベルを検出する（ステップＳ１１）。そして、受信した電波に含まれる情報から、その電波を送信した基地局を識別する（ステップＳ１２）。ここで、携帯電話端末１０が受信した電波が１つであるときには、その電波を送信した基地局を最寄り基地局として設定する。また、受信した電波が複数あるときには、それらの電波の内で、最も受信レベルが高い電波を送信した基地局を最寄り基地局として設定する（ステップＳ１３）。
【００１６】
現在の最寄り基地局が設定されると、ユーザの移動によって最寄り基地局が変化したか否かを判定する（ステップＳ１４）。この判定は、現在の最寄りの基地局と、前のサイクルでの最寄りの基地局とを比較することで行われる。ステップＳ１４で、変化したと判定されると、携帯電話端末１０は、現在の最寄り基地局を記憶する（ステップＳ１５）。最寄り基地局に変化がないと判定されたときは、待受Ａを終了する。
【００１７】
一方、待受プログラムＢでは、ユーザがキーボード部４を操作し、着信を抑制して着信を一時的に拒否する一時着信拒否モードに設定する操作が行われたか否かを判定する（ステップＳ２１）。操作が行われた場合には、携帯電話端末１０を一時着信拒否モードに設定すると共に、一時着信拒否モード設定時の最寄り基地局を記憶する（ステップＳ２２）。ユーザが一時着信モードに設定する操作を行なわなかった場合には、待受Ｂを終了する。
【００１８】
ユーザがキーボード部４を操作し発信を行なうと、発信プログラムが起動する。この発信プログラムでは、携帯電話端末１０の通常の発信処理を行う（ステップＳ５１）。また、発信処理によって接続が確立されると、通話プログラムを呼び出し、通話へと移行する（ステップＳ５２）。通話プログラムでは、携帯電話端末１０の通常の通話処理が行われる（ステップＳ４１）。ユーザが回線の切断を指令すると、通話プログラムは終了する。
【００１９】
携帯電話端末１０が基地局より着信を受けた場合には、着信プログラムが起動する。着信プログラムでは、携帯電話端末１０が待受プログラムＢのステップＳ２２で一時着信拒否モードに設定されているか否かを判断する（ステップＳ３１）。一時着信拒否モードに設定されていないときには、ステップＳ３５へ進んで、通常の着信処理を行う。
【００２０】
ユーザが、携帯電話端末１０を一時着信拒否モードに設定しているときには、着信プログラムが起動する直前での待受プログラムＡのステップＳ１５で記憶した最寄り基地局と、待受プログラムＢのステップＳ２２で記憶した一時着信拒否モード設定時の最寄り基地局とが一致するか否かの判断がされる（ステップＳ３２）。最寄り基地局が変化したと判断されたときは、携帯電話端末１０に設定されている一時着信拒否モードを解除して（ステップＳ３４）、通常の着信処理を行う（ステップＳ３５）。通常の着信処理が行われると、通話プログラムを呼び出して（ステップＳ３６）、通話へと移行する。
【００２１】
ステップＳ３２で最寄り基地局が変化していないと判断されると、着信拒否の処理を行う（ステップＳ３３）。着信拒否の処理では、携帯電話端末１０は、呼び出し音を鳴らさずに通話相手に自動的に応答し、例えば留守番電話のようにユーザが電話に出ることができない旨のメッセージを流す処理を行なう。また、必要に応じて、相手の用件を録音する処理を行なうことで、ユーザは、電話をかけてきた相手や用件を確認することができる。
【００２２】
本実施形態例では、携帯電話端末１０は、一時着信拒否モードに設定する際に、そのときの最寄り基地局を記憶する。ユーザが一時着信拒否モードに設定した後に、携帯電話端末１０への着信が発生した場合には、着信時の最寄り基地局と、一時着信拒否モードの設定時の最寄り基地局とが同じか否かを判定し、同じ基地局であれば通常の着信処理を行なわない。このため、例えばユーザが、病院などの通話が禁止されている場所で携帯電話端末１０を一時着信拒否モードに設定したときには、病院にいる間は最寄り基地局が変化しないため、着信拒否を継続することができる。一時着信拒否モード設定時は、着信音が鳴らず、また、呼び出し中の状態を継続しないで留守番電話状態となるため、バッテリの消費を抑えることができる。
【００２３】
また、ユーザが移動し、携帯電話端末１０が検出する最寄り基地局が、一時着信拒否モード設定時の基地局と一致しなくなったときには、携帯電話端末１０は自動的に一時着信拒否モードを解除する。このため、ユーザは、通話が禁止されている場所から移動したときには、自身で一時着信モードを解除する操作を行なうことなく、着信を受け付けて通話することが可能になる。従って、ユーザは、着信拒否の解除をする手間が省け、解除することを忘れたことによって、着信が拒否されることを防ぐことができる。
【００２４】
なお、上記実施形態例では、一時着信拒否モード設定時の最寄り基地局と、着信時の最寄り基地局とが異なるときに一時着信拒否モードを解除する例を示したが、これに代えて、又は、加えて、一時着信拒否モード設定時に記憶した最寄り基地局からの電波の受信状態と、着信時における一時着信拒否モード設定時の最寄り基地局からの受信状態とを比較し、その差が所定のレベル以上であるときに、一時着信拒否モードを解除するようにしても良い。この場合、携帯電話端末１０は、待受プログラムＢのステップＳ２２で一時着信拒否モードに設定する際に、その受信レベルを記憶すると共に、ユーザに、そのときの最寄り基地局からの電波の受信レベルを段階的に表示する。ユーザは、一時着信拒否モードを解除する条件となる受信レベルの差を設定する。
【００２５】
携帯電話端末１０は、着信プログラムのステップＳ３２で、最寄り基地局の変化に代えて、又は、これに加えて、一時着信拒否モード設定時の最寄り基地局からの電波の受信レベルと、着信時における一時着信拒否モード設定時の最寄り基地局からの受信状態とを比較し、ユーザが指定した受信レベルの差を超えたか否かを判断する。超えた場合には、ユーザが一時着信拒否モードを設定した場所から移動したと判断して、ステップＳ３４へ進み、一時着信拒否モードを解除して通常の着信処理を行う。通常、１つの基地局がカバーするエリアは、携帯電話では半径が３〜５ｋｍ位であるため、受信レベルの変化によって、移動を検知することもできる。
【００２６】
また、携帯電話端末１０がＧＰＳ装置を内蔵している場合には、ＧＰＳ装置が測定した位置を使用してユーザの移動を判断しても良い。この場合、携帯電話端末１０は、ユーザが一時着信拒否モードに設定すると、ＧＰＳ装置を作動させ、そのときの位置を記憶する。ＧＰＳ装置は、一時着信拒否モード設定中に所定時間間隔で動作し、携帯電話端末１０の位置を測定する。測定した位置が、一時着信拒否モード設定時の位置から所定の距離以上離れた場合には、携帯電話端末１０は一時着信拒否モードを解除する。一時着信モードを解除する条件である所定距離は、ユーザによって指定できるようにしても良い。
【００２７】
着信プログラムのステップＳ３３の着信拒否の処理は、上記したものに限られず、例えば、携帯電話端末以外の留守番サービスセンタなどの他の電話へ転送しても良い。この場合、用件の録音などは、転送先の電話が行なう。通常、携帯電話機に用件を録音できる時間は短いため、一時着信拒否モード設定中に複数の人から電話がかかってきた場合には、用件を録音しきれない場合が考えられる。留守番電話サービスなどに転送することで、用件の録音漏れの可能性を低くすることができる。
【００２８】
また、病院などの場所では、マナー上の問題に加えて、医療用機器に影響を与える可能性があるために携帯電話端末１０の使用が禁止されている場合もある。このような場合に対応するために、携帯電話端末１０は一時着信拒否モードを基地局側に通知し、基地局側は、一時着信拒否モード設定時の携帯電話端末１０に対する最寄り基地局を記憶し、基地局側が収集する携帯電話端末１０の位置情報と記憶した最寄り基地情報とを比較することで、一時着信拒否モードを解除する構成とすることもできる。この場合、携帯電話端末１０は、着信を拒否したい場所にいる間は、基地局からの着信の信号を受信しない。
【００２９】
以上、本発明をその好適な実施形態例に基づいて説明したが、本発明の携帯電話端末は、上記実施形態例にのみ限定されるものでなく、上記実施形態例の構成から種々の修正及び変更を施した携帯電話端末も、本発明の範囲に含まれる。例えば、一時着信拒否モードの解除は、着信時ではなく、待受け時に行なうこともできる。
【００３０】
【発明の効果】
以上説明したように、本発明の携帯電話端末は、位置の移動を検出して着信音の抑制を解除するため、ユーザは、自身で着信音の抑制を解除する操作を行う必要がない。このため、ユーザは、着信音を鳴らすことができない場所で着信音を抑制する操作を行なった後に、その操作を行なった場所から移動するだけで、通常の着信ができる。
【図面の簡単な説明】
【図１】本発明の一実施形態例の携帯電話端末の構成を示すブロック図。
【図２】図１のプログラム部３が有するプログラムの動作手順を示すフローチャート。
【符号の説明】
１：無線部
２：音声部
３：プログラム部
４：キー入力部
５：表示部
６：アンテナ
７：マイク
８：スピーカ
【図１】
2004015420.tif 000003
【図２】
2004015420.tif 000004